(57)【特許請求の範囲】
【請求項１】
ジオテキスタイルネットに芝を一体化させ、この一体化させた主体部とその周縁に前記ジオテキスタイルネットの張り出し部とを有する植生マットを前記主体部どうしが密接するように地面上に複数敷き並べてあり、
その敷き並べられた植生マットの外周端部を構成する張り出し部を見切り材で地面に押圧固定することでイノシシによる前記外周端部の捲り上げを防止する見切り材を具備した芝生保護構造。
【請求項２】
芝の種子を保持する植生シートをジオテキスタイルネットに一体化させ、この一体化させた主体部とその周縁に前記ジオテキスタイルネットの張り出し部とを有する植生マットを前記主体部どうしが密接するように地面上に複数敷き並べてあり、
その敷き並べられた植生マットの外周端部を構成する張り出し部を見切り材で地面に押圧固定することでイノシシによる前記外周端部の捲り上げを防止する見切り材を具備した芝生保護構造。
【請求項３】
前記植生マットの下面に不織布を装着した請求項１または２に記載の芝生保護構造。
【請求項４】
請求項１〜３の何れか一項に記載の芝生保護構造を構築するための芝生保護工法であって、周縁に前記ジオテキスタイルネットの張り出し部を有する植生マットを地面上に複数敷き並べてあり、その敷き並べられた植生マットの前記外周端部を構成する張り出し部を、前記見切り材で押圧固定する芝生保護工法。
【請求項５】
周縁に前記ジオテキスタイルネットの張り出し部を有する植生マットを地面上に複数敷き並べてあり、その敷き並べられた植生マットの前記外周端部を構成する張り出し部を地面に形成した掘り込み溝内に敷き込み、その上から前記見切り材を収容した後、前記掘り込み溝を覆土する請求項４に記載の芝生保護工法。
【発明の詳細な説明】
【技術分野】
【０００１】
本発明は、例えば、イノシシによる芝生の掘り起こしを防止するための芝生保護構造及び芝生保護工法に関する。
【背景技術】
【０００２】
近年、イノシシによる芝生の掘り起こし被害の発生件数が特に公園緑地等で増加傾向にある。その対策として実施されているのは、花火などによる威嚇や忌避剤の散布が中心である。
【発明の概要】
【発明が解決しようとする課題】
【０００３】
しかし、上記の対策に長期間の効力維持を期待することはできず、イノシシに対する威嚇や芝生地周辺への忌避剤の散布を繰り返し実施するのは、労力面、コスト面で負担が大きい上、それらの効力が切れた間に深刻な被害が発生する恐れもある。また、イノシシが威嚇や忌避剤に慣れてしまうこともある。そこで、芝生地を柵で囲うことも考えられるが、柵によって敷地の利用が制限されたり景観形成に支障を来したりすることを考慮すると必ずしも望ましくない。
【０００４】
本発明は上述の事柄に留意してなされたもので、その目的は、敷地の利用や景観形成に与える悪影響を抑えつつ、長期にわたってイノシシによる芝生の掘り起こしを防止することができる芝生保護構造及び芝生保護工法を提供することにある。
【課題を解決するための手段】
【０００５】
上記目的を達成するために、本発明に係る芝生保護構造は、ジオテキスタイルネットに芝を一体化させ、この一体化させた主体部とその周縁に前記ジオテキスタイルネットの張り出し部とを有する植生マットを前記主体部どうしが密接するように地面上に複数敷き並べてあり、
その敷き並べられた植生マットの外周端部を構成する張り出し部を見切り材で地面に押圧固定することでイノシシによる前記外周端部の捲り上げを防止する見切り材を具備した（請求項１）。
【０００６】
また、本発明に係る芝生保護構造が、芝の種子を保持する植生シートをジオテキスタイルネットに一体化させ、この一体化させた主体部とその周縁に前記ジオテキスタイルネットの張り出し部とを有する植生マットを前記主体部どうしが密接するように地面上に複数敷き並べてあり、
その敷き並べられた植生マットの外周端部を構成する張り出し部を見切り材で地面に押圧固定することでイノシシによる前記外周端部の捲り上げを防止する見切り材を具備していてもよい（請求項２）。
【０００７】
上記各芝生保護構造において、前記植生マットの下面に不織布を装着してあってもよい（請求項３）。
【０００８】
一方、上記目的を達成するために、本発明に係る芝生保護工法は、請求項１〜３の何れか一項に記載の芝生保護構造を構築するための芝生保護工法であって、周縁に前記ジオテキスタイルネットの張り出し部を有する植生マットを地面上に複数敷き並べてあり、その敷き並べられた植生マットの前記外周端部を構成する張り出し部を、前記見切り材で押圧固定する（請求項４）。
【０００９】
上記芝生保護工法において、周縁に前記ジオテキスタイルネットの張り出し部を有する植生マットを地面上に複数敷き並べてあり、その敷き並べられた植生マットの前記外周端部を構成する張り出し部を地面に形成した掘り込み溝内に敷き込み、その上から前記見切り材を収容した後、前記掘り込み溝を覆土してもよい（請求項５）。
【発明の効果】
【００１０】
本願発明では、敷地の利用や景観形成に与える悪影響を抑えつつ、長期にわたってイノシシによる芝生の掘り起こしを防止することができる芝生保護構造及び芝生保護工法が得られる。
【００１１】
すなわち、本願の各請求項に係る発明の芝生保護構造では、植生マットの外周端部をイノシシが捲り上げることを、見切り材によって防止することができ、イノシシによる芝生の掘り起こしの防止効果は長期にわたって持続することになる。しかも、見切り材は、柵のように高さのあるものではないので、敷地の利用や景観形成に与える悪影響を抑えることもできる。
【００１２】
請求項３に係る発明の芝生保護構造では、芝の根が不織布に絡むことによる植生マットの強度向上を期待することができる。その上、不織布が土や砂を通さないものであれば、施工後の植生マットに対して周囲から飛散侵入してきた雑草の成長を抑制、妨害し、ひいては雑草の侵入を防止することができる。
【００１３】
請求項５に係る発明の芝生保護工法では、植生マットの端部を押圧固定する見切り材を掘り込み溝内に埋め込むので、敷地の利用や景観形成に与える悪影響は皆無に等しい上、見切り材が植生マットを押圧固定する状態は、見切り材を掘り込み溝内に埋め込むことによって一層良好に維持されることにもなる。
【図面の簡単な説明】
【００１４】
【図１】比較例に係る芝生保護工法の前半の構成を概略的に示す説明図である。
【図２】前記芝生保護工法の後半の構成を概略的に示す説明図である。
【図３】植生マットの構成を概略的に示す説明図である。
【図４】（Ａ）及び（Ｂ）は、見切り材の構成を概略的に示す平面図及び縦断面図である。
【図５】（Ａ）〜（Ｃ）は、前記見切り材の設置方法を概略的に示す説明図である。
【図６】前記植生マットの製造方法を概略的に示す説明図である。
【図７】（Ａ）〜（Ｄ）は、前記植生マットの製造方法の各工程を概略的に示す説明図である。
【図８】（Ａ）及び（Ｂ）は、前記見切り材の設置方法の変形例を概略的に示す説明図である。
【発明を実施するための形態】
【００１５】
本発明の実施の形態について比較例を参照しながら以下に説明する。
【００１６】
比較例に係る芝生保護工法は、図１に示すように、複数の植生マット１を地面上に敷き並べた後、図２に示すように、隣り合う植生マット１の重なり合った部分に固定部材（例えばアンカーピン）２を打ち込んで植生マット１どうしを連結すると共に各植生マット１を地面に固定する一方、敷き並べた複数の植生マット１の端部（平面視において敷き並べた複数の植生マット１の輪郭を形成する部分）を見切り材３で地面に押圧固定するものである。
【００１７】
まず、植生マット１の構成について図３を参照しながら説明する。植生マット１は、たとえば平面視が１０００ｍｍ×３０００ｍｍあるいは２０００ｍｍ×３０００ｍｍの長方形状のものや、２０００ｍｍ×２０００ｍｍの正方形状のものであって、下面に不織布４が配置されたジオテキスタイルネット５に芝生マット（切芝）６を一体化させて成るものである。
【００１８】
不織布４は、平面視がほぼ矩形状で、化学繊維目付量が４０〜８０ｇ／ｍ2 となるように形成された部材であり、耐久性、耐腐食性に富む素材であるポリエステル繊維、やしマットなどを用いて形成されている。
【００１９】
ジオテキスタイルネット５は可撓性を有するネット材であり、平面視において不織布４とほぼ同じ形状であり、かつ幅１ｍ当たりの引っ張り強度が０．５〜４トン程度で、目合いが５〜７×５〜８ｍｍ程度となるように形成されている。ジオテキスタイルネット５は、耐久性に富む繊維、たとえばナイロンやポリエステル、アラミド、カーボン、ポリアセタールなどの繊維を用いて、格子状に成形したものであるが、上記の繊維による線条を用いて、上記と同様の目合いの網状体に編組したものにしてもよい。
【００２０】
芝生マット６は、複数の芝６ａと、芝６ａの根によって保持される土６ｂとからなる。この芝６ａには、例えば、野芝、高麗芝、ティフトン等の洋芝を用いることができる。
【００２１】
植生マット１は、芝生マット６が形成される主体部７と、この主体部７の周縁に張り出し、芝生マット６が形成されない張り出し部８とからなる。すなわち、主体部７は、不織布４とジオテキスタイルネット５と芝生マット６とからなる部分であり、張り出し部８は、不織布４とジオテキスタイルネット５とからなる部分である。
【００２２】
張り出し部８は、植生マット１（主体部７）の各辺に形成された、たとえば１００ｍｍ幅の張出部分８ａ〜８ｄからなり、その幅は適宜変更可能である。
【００２３】
上記の構成からなる植生マット１を図１に示すように敷き並べるに際しては、隣り合う植生マット１の張り出し部８どうしが重なり合うようにし、図２に示すように、重なり合った張り出し部８に対して固定部材２を複数打ち込む。
【００２４】
その後、図２に示すように、敷き並べた複数の植生マット１の端部を構成する張り出し部８を、見切り材３で地面に押圧固定する。なお、固定部材２の打設と見切り材３の設置はいずれを先に行ってもよく、並行して行ってもよい。
【００２５】
ここで、見切り材３は、図４（Ａ）及び（Ｂ）に示すように、筒状（円筒状）の立ち上がり部９と、この立ち上がり部９の下部から側方に突出し、立ち上がり部９の長さ方向に沿って複数のピン穴１０を一定間隔おきに有する固定部１１とを有する。そして、立ち上がり部９に差し込み可能な連結部材１２によって見切り材３を順次連結することができる。また、任意のピン穴１０にピン１３を打ち込むことによって、見切り材３を地面に固定することができる。
【００２６】
そして、見切り材３によって植生マット１を固定するには、まず、図５（Ａ）に示すように、地面において見切り材３を設置しようとする箇所に掘り込み溝１４を形成する。続いて、図５（Ｂ）に示すように、この掘り込み溝１４内に、植生マット１の張り出し部８を敷き込み、その上から見切り材３を収容、設置して、ピン１３で見切り材３を地面に固定する。これにより、見切り材３が張り出し部８を地面に押圧固定する状態となる。最後に、図５（Ｃ）に示すように、掘り込み溝１４を埋め戻す（覆土する）。なお、植生マット１の敷設と掘り込み溝１４の形成はいずれを先に行ってもよく、並行して行ってもよい。
【００２７】
ところで、上述の植生マット１は、図６及び図７（Ａ）〜（Ｄ）に示すようにして製造することができる。すなわち、図７（Ａ）に示すように、圃場１５に不織布４を敷設した後、この不織布４の上に可撓性を有するジオテキスタイルネット５を重ね（図７（Ｂ））、このジオテキスタイルネット５の上から別途圃場１５で生育させた芝生マット（切芝）６を敷き詰める（図７（Ｃ））。そして、芝６ａの根が不織布４およびジオテキスタイルネット５に絡まった段階で（図７（Ｄ））、不織布４の下側に伸びた芝６ａの根を切断しつつ、ジオテキスタイルネット５を不織布４ごと圃場１５から剥がし取ることで、植生マット１の製造が完了する。
【００２８】
なお、上記の植生マット１の製造方法において、植生マット１の製造開始時にジオテキスタイルネット５の周辺部に角材Ｋ（図６参照）などを配置し、植生マット１の製造が完了した段階で、この角材Ｋなどを取り出すようにすれば、植生マット１に、芝生マット６が形成されない張り出し部８を設けることができる。
【００２９】
また、上記の角材Ｋなどの配置を省略して、植生マット１製造後に芝生マット６の周辺部を崩し取ることで、張り出し部８を形成するようにしてもよい。
【００３０】
なお、上記の張出部分８ａ〜８ｄの各端部に、ネット連結時の目ずれ防止のために、２〜５ｃｍ程度の幅で網目を密にした部分を形成しておくことが望ましい。
【００３１】
上記の構成からなる植生マット１の製造方法によれば、植生マット１の下面に不織布４が形成されていることから、植生マット１の下方へ進入する芝６ａの根の量が、不織布４を設けない場合に比べて少なくなり、圃場１５から植生マット１を剥がし取るという作業を、より小さな力で行うことが可能となる。
【００３２】
なお、植生マット１のジオテキスタイルネット５に対する不織布４の装着は、芝生マット６の芝６ａの根を不織布４およびジオテキスタイルネット５に絡ませることによって行うことができるが、これに加えて、たとえば紐や接着剤などを用いて装着するようにしてもよい。
【００３３】
上記のように実施される芝生保護工法によって構築される芝生保護構造は、ジオテキスタイルネット５に芝６ａを一体化させた植生マット１と、地面上に敷設された状態の植生マット１の端部を地面に押圧固定するための見切り材３とを具備したものとなる。そして、この芝生保護構造では、敷き並べた植生マット１の外周端部をイノシシが捲り上げることを、見切り材３によって防止することができ、イノシシによる芝生の掘り起こしの防止効果は長期にわたって持続することになる。
【００３４】
しかも、見切り材３は、柵のように高さのあるものではないので、敷地の利用や景観形成に与える悪影響を抑えることもできる。特に、植生マット１の端部を押圧固定する見切り材３を掘り込み溝１４内に埋め込むので、敷地の利用や景観形成に与える悪影響は皆無に等しい上、見切り材３が植生マット１を押圧固定する状態は、見切り材３を掘り込み溝１４内に埋め込むことによって一層良好に維持されることにもなる。
【００３５】
また、この芝生保護構造では、隣り合う植生マット１を張り出し部８で重なり合わせ、その重なり合った部分に固定部材２を打設するようにしてある。従って、ジオテキスタイルネット５にイノシシの鼻や牙によって破壊されない程度の強度を持たせておけば、イノシシにとって敷き並べた植生マット１を捲り上げるのに都合の良い部位が形成されなくなるので、イノシシからの芝生の保護をより万全なものとすることが可能となる。
【００３６】
しかも、ジオテキスタイルネット５の下面には不織布４を設けるので、芝６ａの根が不織布４に絡むことによる植生マット１の強度向上を期待することもできる。その上、不織布４が土や砂を通さないものであれば、施工後の植生マット１に対して周囲から飛散侵入してきた雑草の成長を抑制、妨害し、ひいては雑草の侵入を防止することができる。
【００３７】
さらに、芝生マット６の強い表層根が不織布４およびジオテキスタイルネット５に強固に根絡みした保形性の高い植生マット１を用いつつ、隣り合う植生マット１どうしを重ね合わせて固定部材２で地面に固定するので、実質的に四側辺が互いに連結された芝生マット６を、不織布４およびジオテキスタイルネット５を介して地面に強固に張り付けることができ、芝生マット６は時を経て地面に強固に根張りすることになる。
【００３８】
【００３９】
図１及び図２に示す例では、植生マット１を３行３列の行列状に並べているが、これに限らず、植生マット１の数（単数でもよい）や配置の仕方は任意に変更可能である。
【００４０】
そして、植生マット１を、以下のようにして製造してもよい。すなわち、まず、圃場１５に不織布４を敷設した後、この不織布４の上に可撓性を有するジオテキスタイルネット５を重ね、ジオテキスタイルネット５の上から芝６ａのランナーを植えて覆土を施し、芝６ａの根が不織布４およびジオテキスタイルネット５に絡まり、ランナーが芝生マット６に育成した段階で、不織布４の下側に伸びた芝６ａの根を切断しつつ、ジオテキスタイルネット５を不織布４ごと圃場１５から剥がし取るようにしてもよい。
【００４１】
あるいは、不織布４を適宜たとえば作業台上に展開させて、この上に可撓性を有するジオテキスタイルネット５を重ね、さらにこの上に芝生マット６を配置し、この三者をステイプルなどによる結束や、その他、縫製などの連結手段（ともに図示せず）によって一体化させ、植生マット１を得るようにしてもよい。
【００４２】
この製造方法によれば、不織布４およびジオテキスタイルネット５には芝生マット６の芝６ａの根が絡まっていないものの、この三者が連結手段によって一体化されていることから、張り出し部８の重ね合わせ部に固定部材２を打設することで、実質的に芝生マット６を、不織布４およびジオテキスタイルネット５を介して地面に強固に張り付けることができるのであり、やがては時を経て、芝生マット６の芝６ａの根が不織布４およびジオテキスタイルネット５に絡みつつ、地面に根張りする。そして、この製造方法によれば、予め生育させた芝生マット６を用いることに加えて、芝生マット６の不織布４およびジオテキスタイルネット５への根絡みを待つ必要がないことから、その時間分、植生マット１の製造時間をさらに短縮することができる。
【００４３】
また、植生マット１を予め圃場１５や作業台上等で製造し、完成した植生マット１を現場に搬入するのではなく、圃場１５や作業台上等で行っていた植生マット１を製造するための作業を現場の地面上で直接行うようにし、搬入に掛かる労力を軽減するようにしてもよい。例えば、芝生保護構造を設置しようとする地面上に不織布４及びジオテキスタイルネット５を敷設した後、その上から芝生マット（切芝）６を敷設し、芝６ａの根が不織布４およびジオテキスタイルネット５に絡まるのを待ったり、このように待つことなくアンカーピンやステイプル等で三者４〜６を連結したり、芝生マット６に替えて芝６ａのランナーを植えて覆土を施すようにしたり、といったことを行ってもよく、いずれにしても最終的には植生マット１を得ることができる。
【００４４】
あるいは、例えば不織布、薄綿、クレープ紙等の何れかからなるシート状体に芝６ａの種子を接着剤によって接着等することにより保持させた植生シートを形成し、この植生シートをジオテキスタイルネット５の下面に接着あるいは連結することにより、植生マット１を得るようにしてもよい。この場合、植生シートの下面に不織布４を装着してもよいし、しなくてもよい。
【００４５】
図１及び図２に示す例では、隣り合う植生マット１を連結固定する際に、両者の張り出し部８どうしを重ね合わせ、その重ね合わせた部分に固定部材２を打設するようにしているが、この場合、その重ね合わせた部分が芝生のないデッドスペースになる。そこで、このようなデッドスペースを無くすために、張り出し部８どうしを重ね合わせた部分の上側に芝生マット（切芝）６を別途敷設するようにしてもよい。
【００４６】
本実施の形態に係る芝生保護工法では、デッドスペースを無くすために、複数の植生マット１を敷き並べる際に、主体部７どうしが密接するようにしている。この場合、隣り合う植生マット１の一方の張り出し部８を予めあるいはその場で切断したり、主体部７の下側に折り畳んだりしつつ、他方の植生マット１の張り出し部８を一方の植生マット１の主体部７の下方に敷き込むようにしてもよい。具体的には、植生マット１の各辺の張出部分８ａ〜８ｄのうち、植生マット１において幅方向の一端側に位置する張出部分８ｂを予め無くしておき、設置時には、植生マット１において長さ方向の一端側に位置する張出部分８ｄも現地にて切り落とし、デッドスペースを無くして芝部分（主体部７）が全て密接するようにする。このようにする場合、主体部７において張り出し部８の上側に重なった部分に固定部材２を打設すればよく、このとき、主体部７において張り出し部８の上側に重なった部分のジオテキスタイルネット５から芝生マット６を適宜（部分的に）引き剥がして捲り上げ、この状態で固定部材２を打設してジオテキスタイルネット５を固定した後、捲り上げていた芝生マット６をその上から被せれば、固定部材２が表面に露出しないようにすることができる。
【００４７】
図５（Ｂ）及び（Ｃ）に示す例では、植生マット１の外周端側に立ち上がり部９が位置し、中央側に固定部１１が位置するように見切り材３を向けているが、これに限らず、例えば図８（Ａ）に示すように逆向きにしてもよい。また、図５（Ａ）〜（Ｃ）に示す例では、地面に掘り込み溝１４を形成し、この掘り込み溝１４内に見切り材３を収容するようにしているが、これに限らず、例えば図８（Ｂ）に示すように、掘り込み溝１４を設けずに地面上に見切り材３を設置するようにしてもよい。
【００４８】
また、図４（Ａ）及び（Ｂ）に示す見切り材に替えて、種々の見切り材を使用可能であるが、イノシシによる捲り上げを確実に防止する点から、張り出し部８を面状に押圧固定可能に構成された見切り材を用いることが好ましい。また、敷き並べた植生マット１の端部（周縁部）の全てにわたって見切り材を隙間なく設置してもよいが、必ずしもこのようにする必要はなく、イノシシにより植生マット１の捲り上げを防止する事の出来る範囲で、見切り材間に間隔を設けるようにしてもよい。
【００４９】
上述した各例において、不織布４を設けなくてもよい。
【００５０】
なお、上記変形例どうしを適宜組み合わせてもよいことはいうまでもない。また、各例の適用箇所は、平坦地（例えば公園等の人が利用する場所）であっても法面であってもよい。
【符号の説明】
【００５１】
１    植生マット
２    固定部材
３    見切り材
４    不織布
５    ジオテキスタイルネット
６    芝生マット
６ａ  芝
６ｂ  土
７    主体部
８    張り出し部
８ａ  張出部分
８ｂ  張出部分
８ｃ  張出部分
８ｄ  張出部分
９    立ち上がり部
１０    ピン穴
１１    固定部
１２    連結部材
１３    ピン
１４    掘り込み溝
１５    圃場
【図１】
0006543473.tif 000002
【図２】
0006543473.tif 000003
【図３】
0006543473.tif 000004
【図４】
0006543473.tif 000005
【図５】
0006543473.tif 000006
【図６】
0006543473.tif 000007
【図７】
0006543473.tif 000008
【図８】
0006543473.tif 000009